(57)【要約】  【課題】流れの強い河川においても這行性魚介類に適した遡行条件を作り出すことができる這行性魚介類用魚道を提供する。  【解決手段】  河川横断構造物３の水が流れる接水面５に中空筒状ネット１２のアーチ形断面又は多角形断面の平坦部分を押し当てながら設置し，筒状ネット１２の内側の空隙に塊状体１７，１８を詰め込むことにより筒状ネット１２の内側に流れを減少させた湿潤登坂空間を形成する。好ましくは，筒状ネット１２の内側の平坦部分に敷設する凹凸表面付き保水性マット１４を設ける。更に好ましくは，筒状ネット１２の内側の保水性マット１４と塊状体１７，１８との間に多数の連続中空細孔１６が形成された細孔付きマット１５を積層する。【選択図】        図１
2016020590.tif 000002
【特許請求の範囲】
【請求項１】
中心軸と交差する断面がアーチ形又は多角形であり且つ河川横断構造物の接水面に断面の平坦部分を押し当てて中心軸が水の流れと平行になるように設置する中空筒状ネット，及び前記筒状ネット内側の空隙に詰め込む塊状体を備え，前記塊状体の詰め込みにより筒状ネット内側に外側に比して流れを減少させた登坂空間を形成してなる這行性魚介類用魚道。
【請求項２】
請求項１の魚道において，前記塊状体に，前記筒状ネットの内側空隙の下流側に詰め込む大径塊状体と，前記筒状ネットの内側空隙の上流側に詰め込む小径塊状体とを含めてなる這行性魚介類用魚道。
【請求項３】
請求項１又は２の魚道において，前記筒状ネット内側の平坦部分に敷設する凹凸表面付き保水性マットを設けてなる這行性魚介類用魚道。
【請求項４】
請求項３の魚道において，前記保水性マットの一端又は両端を前記筒状ネットの外側へ食み出させてなる這行性魚介類用魚道。
【請求項５】
請求項３又は４の魚道において，前記保水性マットを繊維径０．１〜０．３ｍｍの織布又は不織布としてなる這行性魚介類用魚道。
【請求項６】
請求項３から５の何れかの魚道において，前記筒状ネット内側の保水性マットと塊状体との間に多数の連続中空細孔が形成された細孔付きマットを積層してなる這行性魚介類用魚道。
【請求項７】
請求項６の魚道において，前記細孔付きマットの一端又は両端を前記筒状ネットの外側へ食み出させてなる這行性魚介類用魚道。
【請求項８】
請求項６又は７の魚道において，前記細孔付きマットを材径０．５〜５ｍｍの線状材を１０〜３０ｍｍの相互間隔で絡め合わせた線状材マットとしてなる這行性魚介類用魚道。
【請求項９】
請求項１から８の何れかの魚道において，前記筒状ネットを網目径４〜８ｃｍのポリエステルフィラメント線亀甲網としてなる這行性魚介類用魚道。
【請求項１０】
請求項１から９の何れかの魚道において，前記河川横断構造物の上流側に河川の流れに抗して前記筒状ネットを接水面上に支持するアンカー体を設けてなる這行性魚介類用魚道。
【発明の詳細な説明】
【技術分野】
【０００１】
本発明は這行性魚介類用魚道に関し，とくに河川横断構造物によって妨げられる這行性魚介類の遡上・遡下（以下，両者をまとめて遡行ということがある）を助けるための魚道に関する。
【背景技術】
【０００２】
図４（Ａ）に示すような河川１において水位の落差を生じさせる堰，ダム，砂防堤，落差工，支流との階段構造物等の横断構造物３を構築する場合は，その構造物３が魚類の遡行の障害となり，例えば水産重要種であるサケ，マス，アユ等の通し回遊魚（一生の間に川の上流域と下流域・海とを往復する魚類）の生息・繁殖の妨げとなることから，魚類の遡行を助けるために魚道６を設置することが一般的である。図示例は，一対の側壁８，８の間に水路と交差する向きに複数の段差付き隔壁（仕切壁）７ａ，７ｂ，７ｃを平行に連ねて配置した階段状魚道６を示しており，各隔壁７ａ，７ｂ，７ｃによって河川の流速を抑えると共に水位の落差を遊泳魚類が飛び越えやすい高さとし，隔壁７ａ，７ｂ，７ｃの間の低速流域で魚類が休息できるようにしたものである。このような魚道６は，大きな回遊をしないが成長に伴って生活圏を移動する遊泳魚類（コイ，ナマズ等の水産重要種）を保全するためにも重要である。
【０００３】
また近年は，上述した遊泳魚類だけでなく，イシマキガイ等の貝類，モクズガニ・ヤマトヌマエビ，ミゾレヌマエビ等の甲殻類，ヨシノボリ・ゴクラクハゼ，ウナギ等の底生魚類等（以下，これらをまとめて這行性魚介類という）をも対象とした魚道の設置が望まれている。這行性魚介類は，遊泳魚類のように飛び上がることは不得意であって，水底の粗面や凹凸を手がかり・足がかりとして又は吸盤等を用いて登坂するので，図４（Ａ）のような魚道６を遡行することは難しい。例えばウナギは，回遊性であって海で誕生した稚魚（シラスウナギ）が河川を遡行しながら成熟・生息するが，図示例のように遡行できない横断構造物３があると成熟・生息が妨げられる。とくに最近はシラスウナギの採取量が顕著な減少傾向にあることから，河川におけるウナギの生息環境を改善してウナギ資源を回復するため，ウナギの遡行できる魚道又はその補助設備を確保することが求められている（非特許文献１参照）。また，上述した甲殻類はウナギの餌でもあることから，それら甲殻類の遡行できる魚道又はその補助設備を確保することでウナギの生息環境を改善することも期待できる。
【０００４】
従来から遊泳魚類と共に這行性魚介類の遡行を助ける魚道として，流水が通過可能な複数の緩衝部材と，その複数の干渉部材を水の流れと交差させて両側から支持する支持部材と，緩衝部材の相互間に支持部材によって画定される隙間とを備えた魚道を，河川横断構造物の上下流の段差部分（水位の落差部分）に設置することが提案されている（特許文献１及び２参照）。河川水は上流域から横断構造物の段差部分を通過して下流域へ流下するが，段差部分において各緩衝部材を通過する際に流れの勢いが段階的に吸収され，その流れの遅い部分を利用して遊泳魚類や這行性魚介類の遡行を助けることが期待できる。また，緩衝材と川底部との間には隙間が形成されるので，その隙間を遊泳・這行することで遊泳魚類や這行性魚介類が下流域から上流域へ移動することが期待できる。他方，図４（Ａ）のような魚道６において這行性魚介類の遡行を可能とするため，魚道６の底面に人工芝等の足場を張って海から遡上するエビやカニの遡行を助ける補助設備，又は底面にブラシを植えてウナギの遡上を助ける補助設備等が提案されている（非特許文献２参照）。
【先行技術文献】
【特許文献】
【０００５】
【特許文献１】特開２００２−２０６２２９号公報
【特許文献２】特開２００２−３６３９５６号公報
【非特許文献】
【０００６】
【非特許文献１】水産庁プレスリリース「ウナギ緊急対策について」２０１４年６月２９日，インターネット（ＵＲＬ：ｈｔｔｐ：／／ｗｗｗ．ｊｆａ．ｍａｆｆ．ｇｏ．ｊｐ／ｊ／ｐｒｅｓｓ／ｓａｉｂａｉ／１２０６２９．ｈｔｍｌ）
【非特許文献２】フリー百科事典ウィキペティア（Ｗｉｋｉｐｅｄｉａ）「魚道」２０１４年６月２９日，インターネット（ＵＲＬ：ｈｔｔｐ：／／ｊａ．ｗｉｋｉｐｅｄｉａ．ｏｒｇ／ｗｉｋｉ／％Ｅ９％ＡＤ％９Ａ％Ｅ９％８１％９３）
【発明の概要】
【発明が解決しようとする課題】
【０００７】
しかし，特許文献１及び２の開示する魚道は，遊泳魚類と這行性魚介類とを同じ条件で遡行させるものであり，遊泳魚類の遡行条件と這行性魚介類の遡行条件との調整が難しい問題点がある。例えば，河川の水流が強い場合に，緩衝部材によって流れの勢いを吸収して遊泳魚類の遡行条件を作り出すことはできるが，這行性魚介類が遡行するためには流速を更に低下させる必要がある。また，河川横断構造物の段差部分の表面にはミズゴケ・水草類等が増殖しやすく，ミズゴケ等が増殖しても遊泳魚類の遡行には問題を生じないが，表面が滑りやすくなるので這行性魚介類の遡行には問題となる。更に，緩衝部材の相互間に画定される隙間は遊泳魚類にとって遡行中の休息所として必要であるが，這行性魚介類にとっては水鳥等の食害を受ける（餌として食われる）場所ともなりうる。上述したウナギ資源等の回復を図るためには，遊泳魚類の遡行条件と切り離して，這行性魚介類に適した遡行条件を作り出すことが有効である。
【０００８】
他方，上述した魚道の底面に人工芝やブラシを植えて這行性魚介類の足場とする方法は，河川の水流が強い場合に人工芝やブラシが簡単に流出してしまう問題点がある。日本の河川は比較的流れが急であり，雨水によって河川の流量が急激に増加することもある。人工芝やブラシは這行性魚介類の遡行にとって有効であり，比較的流れの緩やかな河川では使用可能であるが，流量の増加時に簡単に流出して失われるような設備では這行性魚介類の遡行を定常的・安定的に確保することは難しい。上述したウナギ資源等の回復を図るためには，流れの強い河川においても容易に流出しない魚道を確保することが不可欠である。
【０００９】
そこで本発明の目的は，流れの強い河川においても這行性魚介類に適した遡行条件を作り出すことができる這行性魚介類用魚道を提供することにある。
【課題を解決するための手段】
【００１０】
図１の実施例を参照するに，本発明による這行性魚介類用魚道は，中心軸Ｘと交差する断面がアーチ形又は多角形（図３（Ａ）〜（Ｃ）参照）であり且つ河川横断構造物３の接水面５（図２及び図４参照）に断面の平坦部分を押し当てて中心軸Ｘが水の流れＦと平行になるように設置する中空筒状ネット１２（図１（Ａ）参照），及び筒状ネット１２の内側の空隙に詰め込む塊状体１７又は１８（図１（Ｄ）又は図１（Ｅ）参照）を備え，塊状体１７又は１８の詰め込みにより筒状ネット１２の内側に外側に比して流れを減少させた登坂空間を形成してなるものである。望ましくは，塊状体に，筒状ネット１２の内側空隙の下流側に詰め込む大径塊状体１７（図１（Ｄ）参照）と，筒状ネット１２の内側空隙の上流側に詰め込む小径塊状体１８（図１（Ｅ）参照）との両者を含める。
【００１１】
好ましい実施例では，図１（Ｂ）に示すように，筒状ネット１２の内側の平坦部分に敷設する凹凸表面付き保水性マット１４を設ける。望ましくは，図１（Ｇ）に示すように，保水性マット１４の一端又は両端を筒状ネット１２の外側へ食み出させる。例えば保水性マット１４を繊維径０．１〜０．３ｍｍの織布又は不織布とすることができる。
【００１２】
更に好ましい実施例では，図１（Ｃ）に示すように，筒状ネット１２の内側の保水性マット１４と塊状体１７，１８との間に多数の連続中空細孔１６が形成された細孔付きマット１５を積層する。望ましくは，図１（Ｇ）に示すように，細孔付きマット１５の一端又は両端を筒状ネット１２の外側へ食み出させる。例えば細孔付きマット１５を，材径０．５〜５ｍｍの線状材を１０〜３０ｍｍの相互間隔で絡め合わせた線状材マットとすることができる。
【００１３】
望ましい実施例では，筒状ネット１２を，網目径４〜８ｃｍのポリエステルフィラメント線亀甲網とすることができる。また他の実施例では，図２（Ａ）に示すように，河川横断構造物３の上流側に河川の流れに抗して筒状ネット１２を接水面５上に支持するアンカー体２０，２０を設けることができる。
【発明の効果】
【００１４】
本発明による這行性魚介類用魚道は，河川横断構造物３の水が流れる接水面５に中空筒状ネット１２のアーチ形断面又は多角形断面の平坦部分を押し当てながら設置すると共に，筒状ネット１２の内側の空隙に塊状体１７，１８を詰め込むことにより筒状ネット１２の内側に流れを減少させた登坂空間を形成するので，次の効果を奏する。
【００１５】
（イ）塊状体１７，１８を詰め込むことで上流域から中空筒状ネット１２の内側に流れ込む水量を減らすと共に，接水面５に押し当てた平坦部分で流れ込んだ水量を広げて流下させるので，這行性魚介類の遡行に適した流れの緩やかな魚道を作り出すことができる。
（ロ）石材やコンクリートブロック等の塊状体１７，１８を中空筒状ネット１２に詰め込んで魚道とするので，雨水によって河川の流量が増加しても流出しにくい魚道とすることができる。
（ハ）また，這行性魚介類の登坂空間が中空筒状ネット１２で覆われているので，遡行中の遮蔽性魚介類を水鳥等の食害から保護し，食害を受けにくい這行性魚介類の登坂空間を作り出すことができる。
（ニ）筒状ネット１２の内側の平坦部分に凹凸表面付き保水性マット１４を敷設することにより，筒状ネット１２の内側に流れ込んだ水をマット１４に浸透させて効率的に広げ，筒状ネット１２の内側に遮光性魚介類の側に適した湿潤登坂空間を作すことができる。
（ホ）また，筒状ネット１２の内側の保水性マット１４と共に細孔付きマット１５を積層することにより，マット１５の連続中空細孔１６によって底生魚類，貝類，甲殻類等の多様な這行性魚介類の遡行に適した湿潤登坂空間を作り出すことができる。
（ヘ）比較的少人数の作業員により短時間で経済的に設置できる魚道であり，必要に応じて逆の手順で魚道を短時間のうちに撤去することも可能であり，既存の階段状魚道等に容易に付加できる補助設備としても利用が期待できる。
【図面の簡単な説明】
【００１６】
以下，添付図面を参照して本発明を実施するための形態及び実施例を説明する。
【図１】本発明の這行性魚介類用魚道の構成を示す説明図である。
【図２】本発明の這行性魚介類用魚道を河川横断構造物に設置する方法の一例の説明図である。
【図３】本発明の這行性魚介類用魚道に用いる中空筒状ネットの断面の説明図である。
【図４】本発明の這行性魚介類用魚道を従来の階段状魚道の補助設備として設置する方法の一例の説明図である。
【発明を実施するための形態】
【００１７】
図１は本発明の這行性魚介類用魚道１０の構成を示しており，図２はその魚道１０を河川横断構造物３の接水面５に設置した実施例を示す。先ず図１を参照するに，本発明の魚道１０は，アーチ状断面又は多角形断面の中空筒状ネット１２（同図（Ａ）参照）と，筒状ネット１２の内側に詰め込む塊状体１７又は１８（同図（Ｄ）又は（Ｅ）参照）とを有する。筒状ネット１２の内側に塊状体１７，１８を詰め込むことにより，筒状ネット１２の内側に這行性魚介類の登坂を助ける多様な表面形状や空間を作り出す。また塊状体１７，１８は，後述するように筒状ネット１２の内側を流下する流速・流量を調整する機能も果たす。
【００１８】
図示例の筒状ネット１２は，図３（Ａ）に示すように中心軸Ｘと交差する断面をアーチ形としたものであり，その断面の平坦部分（直線部分）を河川横断構造物３の接水面５に押し当てて設置する（図２参照）。構造物３に設置した筒状ネット１２の内側に上流域から流れ込んだ水は，接水面５と接触する面積部分を伝わって流下するので，例えば図３（Ｄ）のように筒状ネット１２の断面が円形であって接水面５との接触面積が小さいと，その小さな面積に水が集中するため流速が大きくなってしまう。好ましくは，図３（Ａ）のように環状断面の周囲長さの２０％以上を平坦部分（直線部分）とし，筒状ネット１２の内側に流れ込んだ水量をその平坦部分の全体に広げて流下させることにより，這行性魚介類の遡行に適した緩やかな流れを形成する。ただし，筒状ネット１２の断面形状はアーチ形に限らず，構造物３の接水面５に押し当てる平坦部分（直線部分）が２０％程度以上確保できれば，図３（Ｂ）に示すような三角径断面，図３（Ｃ）に示すように矩形断面，その他の多角形断面とすることも可能である。
【００１９】
また筒状ネット１２は，平坦部分以外の弧状部分で内側に収容する材料（塊状体等）を囲むものであり，収容する材料が脱出しないように網目径（目合い）を４〜８ｃｍ程度とすることが望ましい。材料を収容する筒状ネット１２の断面径Ｈ（図３参照）は，設置する河川横断構造物３の接水面５の状況に応じて適宜選択できるが，河川の水深の３倍程度とすることが望ましい。更に筒状ネット１２は，中空筒状ネット１２の内側の遮蔽性魚介類を水鳥等の食害から保護する機能も果たす。筒状ネット１２を一般的な鋼製等の金網とすることも可能であるが，設置作業等を考慮して筒状ネット１２を柔軟性に富み，加工が容易で耐久性があり，しかも軽量な材質とすることが望ましい。このような条件を満たす筒状ネット１２の好ましい一例は，耐水性の合成樹脂製であるポリエステルフィラメント線亀甲網である。
【００２０】
また図示例の塊状体１７，１８は，筒状ネット１２の内側に所要密度で詰め込むことにより，這行性魚介類の遡行のための多様な表面形状や空間を形成すると共に，上流域から筒状ネット１２に流れ込む水を外側へ分散させて内側に流下する流量を限定する機能を果たす。塊状体１７，１８の好ましい一例は，例えば筒状ネット１２の網目からこぼれ落ちない程度の径の石材又はコンクリートブロックである。径の異なる塊状体１７，１８を組み合わせることで，筒状ネット１２の内側に多様な空間を作り出すことができる。好ましくは，筒状ネット１２の内側の下流側に比較的大径の塊状体１７（図１（Ｄ）参照）を詰め込み，筒状ネット１２の内側の上流側に比較的小径の塊状体１８（図１（Ｅ）参照）を詰め込む。筒状ネット１２の上流側において塊状体の密度を高めることにより，上流域から筒状ネット１２の内側へ流れ込む水量を制限し，筒状ネット１２の内側の水流Ｆ２（図２（Ａ）参照）を外側の水流Ｆ１（図２（Ｃ）参照）の１／３〜１／５程度に減少させることができる。
【００２１】
好ましくは，図１（Ｂ）に示すように，筒状ネット１２の内側の平坦部分に凹凸表面付き保水性マット１４を敷設する。図示例の保水性マット１４は，表面に這行性魚介類の遡行を助ける凹凸が形成されている。河川横断構造物３の接水面５と接触させる筒状ネット１２の平坦部分に保水ネット１２を敷設することにより，上述したように筒状ネット１２の内側に流れ込んだ水を平坦部分全体に浸透させて広げることができる。好ましくは，図１（Ｇ）に示すように，保水性マット１４の一端又は両端を筒状ネット１２の外側へ食み出させ，河川の減水時においても一端又は両端側の水を浸透により引き込んで筒状ネット１２の内側を湿潤状態に保持する。このような保水性マット１４の好ましい一例は，繊維径０．１〜０．３ｍｍの合成繊維製又は天然繊維製の織布又は不織布である。。
【００２２】
更に好ましくは，図１（Ｃ）に示すように，筒状ネット１２の内側の保水性マット１４と塊状体１７，１８との間に，多数の連続中空細孔１６が形成された細孔付きマット１５を積層する。細孔付きマット１５は，連続中空細孔１６により這行性魚介類の登坂を助けるものであり，保水性マット１４や塊状体１７，１８と組み合わせることで筒状ネット１２の内側に更に多様な表面形状や空間を形成する。また細孔付きマット１５は，保水性マット１４に伝って流下する水を筒状ネット１２の内側において分散させて小さなしぶきを作り出す機能を果たす。図１（Ｇ）に示すように，細孔付きマット１５の一端又は両端を筒状ネット１２の外側へ食み出させ，河川の減水時等においても連続中空細孔１６を介して一端又は両端側の水を筒状ネット１２の内側にり引き込むことも期待できる。そのような細孔付きマット１５の好ましい一例は，材径０．５〜５ｍｍの線状材を１０〜３０ｍｍの相互間隔で絡め合わせた線状材マットである。
【００２３】
本発明者の観察したところによると，ウナギ等は細孔付きマット１５と塊状体１７，１８とで形成される空間をよじ登る材料とし，モクズガニ等は塊状体１７，１８で形成される空間を足がかりとし，稚ガニや稚エビ等の小型のものは保水性マット１４と細孔付きマット１５とで形成される空間を足がかりとし，更にイシマキガイ等は保水性マット１４の表面の凹凸を登坂面として利用している。
【００２４】
次に図２を参照して，上述した這行性魚介類用魚道１０を河川横断構造物３の接水面５に設置する作業を説明する。最初に，アーチ形断面又は多角形断面の中空筒状ネット１２の内側の平坦部分に必要に応じて保水性マット１４を敷設し，更に必要な場合は保水性マット１４上に細孔付きマット１５を積層することにより，図１（Ｇ）に示すようなマット敷設済みネット（１２＋１４＋１５）を製作する。図示例のマット敷設済みネット（１２＋１４＋１５）は，保水性マット１４の両端（上流側及び下流側）を筒状ネット１２の外側へ食み出させ，細孔付きマット１５の一端（上流側のみ）を筒状ネット１２の外側へ食み出させたものである。ただし，保水性マット１４及び細孔付きマット１５を敷設せずに，筒状ネット１２の内側に塊状体１７，１８のみを収容して這行性魚介類用魚道１０とすることも可能である。
【００２５】
次いで，図２（Ａ）に示すように，図１（Ｇ）の筒状ネット１２（又はマット敷設済みネット（１２＋１４＋１５））を河川横断構造物３の接水面５に断面の平坦部分を押し当てながら中心軸Ｘが水の流れＦと平行になるように位置決めし，その上流端に一端を接続したロープ等の結束部材２１，２１の他端を構造物３の上流域に設置した土嚢袋その他のアンカー体２０，２０に接続することによって宙づりに吊り下げて支持する。また，その下流部を接水面５の下流域地盤と接触させることにより，筒状ネット１２を接水面５の下流側から上流側にわたして設置する（図２（Ｂ）参照）。設置した筒状ネット１２の下端開口は，図１（Ｆ）のような蓋ネット１９によって閉鎖するか，インシュロック等の結束材料によって閉鎖することができる。
【００２６】
最後に，接水面５に設置した設置した筒状ネット１２（又はマット敷設済みネット）の上端開口から内側に比較的大径の塊状体１７（図１（Ｄ）参照）を投入して接水面５の下部に固定し，追加的に上端開口から塊状体１７を投入して積み上げ，更に接水面５の上端（天端）に比較的小径の塊状体１８（図１（Ｅ）参照）を詰め込んで密度を高めたのち，図１（Ｆ）のような蓋ネット１９その他の結束材料によってネット（１２＋１４＋１５）の上端開口を閉鎖する。上端に詰め込む小径塊状体１８は，ネット（１２＋１４＋１５）の上端開口を閉鎖したのち，その網目の隙間から内側へ押し込んでもよい。
【００２７】
図２（Ｂ）は，河川横断構造物３の接水面５に設置完了後の這行性魚介類用魚道１０の流れに沿った方向の断面図を示す。図示例のように，魚道１０の好ましい全体構成は３つの領域，すなわち接水面５の下流域地盤と接触して這行性魚介類が誘導される呼び水領域Ｒ１と，接水面５に接触して這行性魚介類が移動する登坂領域Ｒ２と，接水面５の上流域地盤と接触して登坂した這行性魚介類が上流域へ拡散する上流領域Ｒ３とに分けることができる。上流領域Ｒ３は，上述したように小径塊状体１８を詰め込むことで魚道８の内側に流れ込む水流（水量）Ｆ２を調整し，魚道外側の水流（水量）Ｆ１の１／３〜１／５程度に減少させる領域である（図２（Ｃ）参照）。登坂領域Ｒ２は，ネット１２の内側に流れ込んだ水を平坦部分全体に広げることにより，這行性魚介類に適した緩やかな流れＦ２の登坂空間を形成する。下流部の呼び水領域Ｒ１は，流下する水流（水量）Ｆ２が減少したことで，ネット外側の部分と異なる緩やかな水流となるので，下流域の這行性魚介類に対して呼び水状態を作り出すことができる。
【００２８】
なお，図２（Ｂ）において，筒状ネット１２の内側に詰め込んだ塊状体１７，１８が太陽光等によって水温より高温となっている場合は，上流領域Ｒから魚道８の内側に流れ込んだ水が塊状体１７，１８の間隙を流下する間に徐々に暖められ，呼び水領域Ｒ１から流出される水流の温度をネット外側に比して１℃程度上昇させことができる。例えばウナギ等は熱帯・温帯の分布する温帯性の這行性魚類であり，冷水よりも暖水を好む傾向があるので，呼び水領域Ｒ１から流出される水流の温度を周囲に比べて高めることにより，魚道１０の温帯性魚類に対する呼び水機能を高めることができる。
【００２９】
［実験例１］
図１（Ａ）〜（Ｅ）の筒状ネット１２、保水性マット１４、細孔付きマット１５、及び塊状体１７，１８を用いて図１（Ｇ）に示す這行性魚介類用魚道１０を試作し，図２に示すように河口から５ｋｍ程度上流の河川横断構造物（高さ１．８ｍの防潮堰）３の接水面５に設置して，本発明の魚道１０の効果を確認する実験を行った。比較のために，図１（Ｈ）のように断面円形の筒状ネット２２を用い，その内側に大径塊状体１７のみを収容してマット１４、１５を敷設しない対比魚道２５を製作し，本発明の魚道１０と平行に並べて接水面５に設置した。２つの魚道１０，２５の機能を確認するため，両魚道１９，２５の上端開口にそれぞれ這行性魚介類を捕集するための袋網を装着した。
【００３０】
２つの魚道１０，２５の上端開口に装着した袋網を半日後に取り外し，遡上した這行性魚介類の有無及び種類を確認したところ，円形断面で対比魚道２５の袋網からは遡上した魚介類を検出できなかったが，本発明の魚道１０の袋網からは全長２０ｍｍの生後約１年の稚ウナギが検出された。また，翌日にも同様の実験を繰り返し，半日後に袋網を取り外して内容物を確認したところ，本発明の魚道１０の袋網からモクズガニが７個体，イシマキガイが１個体を検出することができた。更に，接水面１０から撤収する際に魚道１０の内側を確認したところ，登坂領域Ｒ２の塊状体１７，１８の隙間空間にモクズガニ２個体が確認され，細孔付きマット１５と保水性マット１４との間の空間にイシマキガイの着生が検出された。
【００３１】
また，本実験において２つの魚道１０，２５の呼び水領域Ｒ１における水流（水量）と魚道外の水流（水量）とをそれぞれ測定したところ，魚道外は約１．５リットル／秒であるのに対し，円形断面の対比魚道２５の内側は約１．０リットル／秒，本発明の魚道１０の内側は約０．５リットル／秒程度であり，本発明の魚道１０において水流（水量）の減少が確認された。また，対比魚道２５では構造物３の接水面５と接触する面積が円形断面の周囲長さの１０％程度であり，その部分に流下水が集中して帯状に落下する状況であるのに対し，本発明の魚道１０では接水面５と接触する平坦部分がネット断面の周囲長さの２０％以上あり，保水性マット１４及び細孔付きマット１５により流下水が平坦範囲全体に広がって流下する状況が確認された。
【００３２】
こうして本発明の目的である「流れの強い河川においても這行性魚介類に適した遡行条件を作り出すことができる這行性魚介類用魚道」の提供を達成できる。
【００３３】
なお，河川横断構造物３に設置した本発明の這行性魚介類用魚道１０は，必要に応じて陰効果と水鳥等からの食害の防止対策を図るため，筒状ネット１２の上流領域Ｒ３の表面上に遮光部材（例えば黒色メッシュの布）を被せることも有効である。また，本発明の魚道１０は構造物３の接水面５に固定することも可能であるが，上述したように上流域のアンカー体２０，２０から吊り下げて支持し，必要に応じて上流方向に引っ張り上げることにより，魚造１０の全体の安定を図ることができる。このように方法で設置することにより，例えば断面径Ｈが１．８〜２．０ｍ程度の魚道１０であれば４名の作業員で１時間以内の短時間で設置することが可能であり，設置と逆の手順により同様の時間で撤去することも可能であり，ウナギ資源等の回復を図るための簡易で経済的な魚道として普及が期待できる。
【実施例１】
【００３４】
図４（Ｂ）は，同図（Ａ）のような既存の階段状魚道６に本発明の這行性魚介類用魚道１０を補助設備として設置した実施例を示す。上述した図２の実施例では，河川横断構造物３の接水面５上に下流域地盤から上流域地盤にわたして魚道１０を設置しているが，既存の階段魚道６に設置する場合は，本発明の魚道１０を階段魚道６の側面８の接水面５に装着することができる。すなわち，本発明の魚道１０は柔軟性があるので，図４（Ｂ）に示すように筒状ネット１２を捻りながら階段状魚道６の段差付き隔壁７の頂端面と側壁８の壁面とに断面の平坦部分を押し当てることにより，階段型魚道６の上流域から下流域まで連続した帯状の魚道１０とすることができる。このように階段魚道６の側面８に設置した場合であっても，筒状ネット１２の断面の平坦部分を側面８に押し当てて接触させることにより，上流域から流れ込んだ水量を広い接触面に広げて流下させることでき，這行性魚介類の遡行に適した流れの緩やかな湿潤登坂空間を作り出すことができる。
【符号の説明】
【００３５】
１…河川                            ２…流れ
３…河川横断構造物                  ５…接水面
６…階段型魚道                      ７…隔壁
８…側壁
１０…這行性魚介類用魚道            １２…中空筒状ネット
１４…凹凸表面付き保水性マット      １５…細孔付きマット
１６…細孔                          １７…塊状体（大径塊状体）
１８…塊状体（小径塊状体）          １９…蓋ネット
２０…アンカー体                    ２１…結束部材
２５…対比魚道（円形断面の中空筒状ネット）
【図１】
2016020590.tif 000003
【図２】
2016020590.tif 000004
【図３】
2016020590.tif 000005
【図４】
2016020590.tif 000006